(57)【特許請求の範囲】
【請求項１】
紙製基材上に粘着剤層を備えてなり、
前記紙製基材上の、前記紙製基材の厚さ方向における同一領域に、有色成分とマイクロカプセルとが設けられており、
前記マイクロカプセルが、前記紙製基材を透明化又は半透明化させるとともに、前記有色成分を消色に導くための透明消色化成分を内包し、
ＪＩＳ  Ｐ  ８１１７に準拠して測定された、前記紙製基材の透気度が、１２５０秒以下であり、
前記透明消色化成分が、アジピン酸ジブチル、１−ブトキシ−２−プロパノール、ジアセトンアルコール又はＮ−メチルピロリドンである、隠蔽ラベル。
【請求項２】
前記紙製基材と前記粘着剤層との間に、前記有色成分と前記マイクロカプセルとが設けられている、請求項１に記載の隠蔽ラベル。
【請求項３】
前記粘着剤層が前記マイクロカプセルを含有する、請求項１に記載の隠蔽ラベル。
【請求項４】
前記粘着剤層が前記有色成分を含有する、請求項１に記載の隠蔽ラベル。
【請求項５】
前記紙製基材上の、前記粘着剤層を備えている側とは反対側に、前記有色成分と前記マイクロカプセルとが設けられている、請求項１に記載の隠蔽ラベル。
【発明の詳細な説明】
【技術分野】
【０００１】
本発明は、隠蔽ラベルに関する。
【背景技術】
【０００２】
平常時には読み取りができないようにされた情報が、媒体上に記録されてなる隠蔽情報媒体は、既に幅広く社会に普及しており、実生活においてなくてはならない重要な情報伝達手段となっている。受信者は、このような隠蔽情報媒体を受信した場合、適切な手段によって、隠蔽されている秘匿情報を表出させることで、媒体上に記録されている情報を取得でき、さらに、送信者からこの隠蔽情報媒体を受信するまでの間においては、第三者に秘匿情報が読み取られることを防止できる。
このような隠蔽情報媒体の一例としては、葉書の表面に、平常時には読み取りができないように個人情報が記録されてなる隠蔽葉書が挙げられる。
【０００３】
このような隠蔽情報媒体を、情報の隠蔽方法の観点から分類して例示すると、媒体上の隠蔽すべき情報が、再剥離可能なラベル（再剥離性ラベル）の一種である隠蔽ラベルによって被覆され、隠蔽されてなるもの（特許文献１参照）、媒体上の情報を隠蔽する隠蔽層がサーモクロミックインクで形成され、平常時にはこの隠蔽層によって情報が隠蔽されており、隠蔽層が加温によって消色することで、隠蔽情報が視認可能になるように構成されたもの（特許文献２参照）が挙げられる。
【先行技術文献】
【特許文献】
【０００４】
【特許文献１】特開平１０−２６４５５９号公報
【特許文献２】特開２０００−０４３４５３号公報
【発明の概要】
【発明が解決しようとする課題】
【０００５】
しかし、特許文献１で開示されている隠蔽情報媒体では、隠蔽情報の取得に隠蔽ラベル（再剥離性ラベル）の再剥離が必要であり、取り扱いが煩雑であるという問題点があった。また、場合によっては、隠蔽ラベルの再剥離に不具合が生じて、隠蔽ラベルの一部が破れて情報媒体上に存存してしまい、隠蔽情報の取得が困難になるという問題点があった。
一方、特許文献２で開示されている隠蔽情報媒体では、隠蔽されている情報が摩擦熱等の熱によって消せる筆記具で形成されている場合には、隠蔽層の消色時にこの情報もともに消されてしまい、情報を取得できず、すなわち、情報の記録方法に制約があり、汎用性が低いという問題点があった。
【０００６】
本発明は、上記事情に鑑みてなされたものであり、媒体上の情報を隠蔽して構成された隠蔽情報媒体において、隠蔽情報の取得を容易とすることが可能であり、汎用性が高い隠蔽ラベルを提供することを課題とする。
【課題を解決するための手段】
【０００７】
上記課題を解決するため、本発明は、紙製基材上に粘着剤層を備えてなり、前記紙製基材上の、前記紙製基材の厚さ方向における同一領域に、有色成分とマイクロカプセルとが設けられており、前記マイクロカプセルが、前記紙製基材を透明化又は半透明化させるとともに、前記有色成分を消色に導くための透明消色化成分を内包し、ＪＩＳ  Ｐ  ８１１７に準拠して測定された、前記紙製基材の透気度が、１２５０秒以下であり、前記透明消色化成分が、アジピン酸ジブチル、１−ブトキシ−２−プロパノール、ジアセトンアルコール又はＮ−メチルピロリドンである、隠蔽ラベルを提供する。
本発明の隠蔽ラベルは、前記紙製基材と前記粘着剤層との間に、前記有色成分と前記マイクロカプセルとが設けられているものでもよい。
【０００８】
本発明の隠蔽ラベルは、前記粘着剤層が前記マイクロカプセルを含有するものでもよい。
本発明の隠蔽ラベルは、前記粘着剤層が前記有色成分を含有するものでもよい。
本発明の隠蔽ラベルは、前記紙製基材上の、前記粘着剤層を備えている側とは反対側に、前記有色成分と前記マイクロカプセルとが設けられているものでもよい。
【発明の効果】
【０００９】
本発明によれば、媒体上の情報を隠蔽して構成された隠蔽情報媒体において、隠蔽情報の取得を容易とすることが可能であり、汎用性が高い隠蔽ラベルが提供される。
【図面の簡単な説明】
【００１０】
【図１】本発明の隠蔽ラベルの一実施形態を模式的に示す断面図である。
【図２】情報媒体に本発明の隠蔽ラベルが貼付されて構成された隠蔽情報媒体の一実施形態を模式的に示す断面図である。
【図３】本発明の隠蔽ラベルの他の実施形態を模式的に示す断面図である。
【図４】本発明の隠蔽ラベルのさらに他の実施形態を模式的に示す断面図である。
【図５】本発明の隠蔽ラベルのさらに他の実施形態を模式的に示す断面図である。
【図６】本発明の隠蔽ラベルのさらに他の実施形態を模式的に示す断面図である。
【図７】本発明の隠蔽ラベルのさらに他の実施形態を模式的に示す断面図である。
【図８】本発明の隠蔽ラベルのさらに他の実施形態を模式的に示す断面図である。
【図９】本発明の隠蔽ラベルのさらに他の実施形態を模式的に示す断面図である。
【図１０】本発明の隠蔽ラベルのさらに他の実施形態を模式的に示す断面図である。
【発明を実施するための形態】
【００１１】
＜＜隠蔽ラベル＞＞
本発明の一実施形態に係る隠蔽ラベルは、紙製基材上に粘着剤層を備えてなり、前記紙製基材上の、前記紙製基材の厚さ方向における同一領域に、有色成分とマイクロカプセルとが設けられており、前記マイクロカプセルが、前記紙製基材を透明化又は半透明化させるとともに、前記有色成分を消色に導くための透明消色化成分を内包するものである。
本発明の隠蔽ラベルにおいて、有色成分とマイクロカプセルは、例えば、前記紙製基材の厚さ方向において、互いに重なる位置に存在している。
【００１２】
なお、本明細書において、「マイクロカプセル」とは、特に断りのない限り、複数個のマイクロカプセルの集合体を意味するものとする。ここで、マイクロカプセルの集合体には、例えば、数百〜数万個等の多数のマイクロカプセルの集合体も包含される。
【００１３】
本発明の隠蔽ラベルは、媒体上の情報を隠蔽するように、情報媒体上に貼付して、隠蔽情報媒体を構成するために用いるものである。この隠蔽ラベルは、貼付後に情報媒体から取り除くことなく、隠蔽情報の取得を可能とし、情報取得の工程が簡略化される。また、この隠蔽ラベルは、このように情報媒体から取り除く必要がないので、従来の隠蔽ラベルとは異なり、取り除くときにその一部が破れて情報媒体上に存存することによって、隠蔽情報の取得が困難になるなどの不具合を生じない。したがって、本発明の隠蔽ラベルを用いることで、隠蔽情報媒体に記録されている秘匿情報を容易に取得できる。また、本発明の隠蔽ラベルを用いることで、隠蔽すべき情報を媒体上に通常の方法で記録できるため、情報の記録方法に制約がなく、さらに隠蔽情報媒体の安価な製造が可能であり、前記隠蔽ラベルは汎用性が高い。
【００１４】
なお、本明細書においては、以下、単なる「情報の取得」とは、本発明の隠蔽ラベルを用いた場合に可能となる情報の取得を意味し、その例としては、目視や、ＣＣＤカメラ又はスキャナの利用等による、光学像の取得が挙げられる。
【００１５】
図１は、本発明の隠蔽ラベルの一実施形態を模式的に示す断面図である。なお、以下の説明で用いる図は、本発明の特徴を分かり易くするために、便宜上、要部となる部分を拡大して示している場合があり、各構成要素の寸法比率等が実際と同じであるとは限らない。
【００１６】
ここに示す隠蔽ラベル２０１は、紙製基材１１と粘着剤層１３との間に、有色層１５とマイクロカプセル含有層２２とを備えてなり、マイクロカプセル含有層２２がマイクロカプセル（図示略）を含有するものである。
すなわち、隠蔽ラベル２０１は、紙製基材１１、有色層１５、マイクロカプセル含有層２２及び粘着剤層１３が、この順に、これらの厚さ方向において積層されてなる。
【００１７】
粘着剤層１３は、隠蔽ラベル２０１を貼付対象である媒体（情報媒体）に貼付するためのものである。
図２は、情報媒体に本発明の隠蔽ラベルが貼付されて構成された隠蔽情報媒体の一実施形態を模式的に示す断面図である。なお、図２以降の図において、既に説明済みの図に示すものと同じ構成要素には、その説明済みの図の場合と同じ符号を付し、その詳細な説明は省略する。
【００１８】
ここに示す隠蔽情報媒体９０２は、情報媒体９の情報９０が記録されている領域が、隠蔽ラベル２０１によって被覆されて、構成されている。隠蔽情報媒体９０２において、隠蔽ラベル２０１は、その粘着剤層１３によって情報媒体９の、情報９０が記録されている面に貼付され、固定されている。
【００１９】
情報媒体９の構成材料及び色は、目的に応じて適宜選択すればよく、特に限定されない。
情報媒体９の好ましい構成材料としては、例えば、上質紙、アート紙、コート紙、キャストコート紙、レジンコート紙、合成紙等の紙類；ポリエチレン、ポリプロピレン、ポリ塩化ビニル、ポリスチレン、ポリ酢酸ビニル、アクリル樹脂、ＡＳ樹脂、ＡＢＳ樹脂、ポリアミド、ポリアセタール、ポリエチレンテレフタレート、ポリブチレンテレフタレート、ポリトリメチレンテレフタレート、ポリエチレンナフタレート、ポリブチレンナフタレート、ポリフェニレンスルファイド、ポリスルホン、ポリカーボネート、エポキシ樹脂、メラミン樹脂、フェノール樹脂、尿素樹脂、ポリウレタン、ポリイミド等の合成樹脂等が挙げられる。
【００２０】
情報媒体９の構成材料が前記合成樹脂である場合、情報媒体９の隠蔽ラベル２０１が貼付される表面はマット処理、コロナ処理等の表面処理が施されていてもよい。
【００２１】
情報媒体９の厚さは特に限定されず、目的に応じて適宜選択すればよい。例えば、ここに示すようなシート状の情報媒体９の厚さは、通常１０〜１０００μｍであることが好ましいが、これは一例である。
【００２２】
情報媒体９は、１層（単層）からなるものでもよいし、２層以上の複数層からなるもの（複数層が積層されたもの）でもよい。情報媒体９が複数層からなる場合、これら複数層は、互いに同一でも異なっていてもよく、これら複数層の組み合わせは、本発明の効果を損なわない限り、特に限定されない。
なお、本明細書においては、情報媒体の場合に限らず、「複数層が互いに同一でも異なっていてもよい」とは、「すべての層が同一であってもよいし、すべての層が異なっていてもよく、一部の層のみが同一であってもよい」ことを意味し、さらに「複数層が互いに異なる」とは、「各層の構成材料及び厚さの少なくとも一方が互いに異なる」ことを意味する。
情報媒体９が複数層からなる場合には、各層の合計の厚さが、上記の好ましい情報媒体９の厚さとなるようにするとよい。
【００２３】
情報媒体９に記録されている情報９０は、例えば、通常のインクにより形成された印刷層等、公知の方法で形成されたものでよく、特に限定されない。例えば、情報９０の構成材料は不透明であるなど、情報９０の存在を認識できるものであればよく、目的に応じて任意に選択でき、例えば、その色は、情報媒体９の色を考慮して、任意に選択できる。情報９０の形状も、例えば、文字、バーコード、ＱＲコード（登録商標）、画像等、目的に応じて任意に選択できる。このように、情報９０の形成に制約がない点で、隠蔽ラベル２０１の使用は、従来の隠蔽ラベルの使用よりも顕著な利点を有する。
【００２４】
情報媒体９に記録されている情報９０の厚さ（高さ）は、特に限定されず、その構成材料や目的に応じて任意に選択できるが、０．０１〜２００μｍであることが好ましく、０．０５〜８０μｍであることがより好ましく、０．１〜５μｍであることが特に好ましい。
【００２５】
粘着剤層１３は、透明又は半透明であれば特に限定されず、ラベルの貼付に用いる公知のものでよい。
なお、本明細書において、「透明又は半透明である」とは、特に断りのない限り、隠蔽情報媒体における情報の隠蔽効果が発現しない程度の透明性を有することを意味し、例えば、ＪＩＳ  Ｋ  ７１３６に準拠して測定された全光線透過率が３５％以上であることを意味する。そして、「不透明である」とは、この条件を満たさないことを意味する。
【００２６】
粘着剤層１３は、例えば、粘着性樹脂等の粘着成分を含有して構成される。
前記粘着成分の接着強度は、目的に応じて適宜調節すればよく、粘着剤層１３は、再剥離可能なものであってもよいし、再剥離不能で永久接着するものであってもよい。ここで、「再剥離」とは、接着対象面の状態を損ねることなく、剥離可能であることを意味する。
粘着剤層１３は、情報９０を取得するためには再剥離不能であっても何ら問題ないが、再剥離可能であれば、隠蔽ラベル２０１の情報媒体９への貼付をやり直すことが可能となり、取り扱い性が向上する。一方、粘着剤層１３が再剥離不能であれば、例えば、隠蔽情報媒体９０２の移送中に、隠蔽ラベル２０１の目的外の剥離が高度に抑制される。
【００２７】
粘着剤層１３の厚さは、特に限定されないが、１〜４００μｍであることが好ましく、１〜１５０μｍであることがより好ましく、１〜３０μｍであることが特に好ましい。粘着剤層１３の厚さが前記下限値以上であることで、隠蔽ラベル２０１をより安定して情報媒体９に貼付できる。また、粘着剤層１３の厚さが前記上限値以下であることで、粘着剤層１３が過剰な厚さとなることが避けられ、例えば、後述するような隠蔽ラベル２０１を介しての情報９０の取得がより容易となる。
【００２８】
粘着剤層１３は、１層（単層）からなるものでもよいし、２層以上の複数層からなるもの（複数層が積層されたもの）でもよい。粘着剤層１３が複数層からなる場合、これら複数層は、互いに同一でも異なっていてもよく、これら複数層の組み合わせは、本発明の効果を損なわない限り、特に限定されない。
粘着剤層１３が複数層からなる場合には、各層の合計の厚さが、上記の好ましい粘着剤層１３の厚さとなるようにするとよい。
【００２９】
紙製基材１１は、通常は不透明であり、紙製基材１１側から隠蔽情報媒体９０２を見たときに、情報媒体９上の情報９０を隠蔽するように、隠蔽ラベル２０１において構成されている。
一方、紙製基材１１は、後述する透明消色化成分の浸透により、透明又は半透明となるものである。このような、透明消色化成分の浸透性を有するために、紙製基材１１は、例えば、ＪＩＳ  Ｐ  ８１１７に準拠して測定された透気度が１２５０秒以下であることが好ましい。
【００３０】
上記のような特性を有する紙製基材１１の構成材料である紙としては、例えば、上質紙、アート紙、コート紙、キャストコート紙、レジンコート紙、合成紙等が挙げられる。
【００３１】
紙製基材１１の厚さは、特に限定されないが、３５〜１８０μｍであることが好ましく、５０〜１５０μｍであることがより好ましい。紙製基材１１の厚さが前記下限値以上であることで、隠蔽ラベル１０１による情報９０の隠蔽効果がより高くなる。また、紙製基材１１の厚さが前記上限値以下であることで、紙製基材１１が過剰な厚さとなることが避けられ、例えば、後述するような隠蔽ラベル２０１を介しての情報９０の取得がより容易となる。
【００３２】
紙製基材１１は、１層（単層）からなるものでもよいし、２層以上の複数層からなるもの（複数層が積層されたもの）でもよい。紙製基材１１が複数層からなる場合、これら複数層は、互いに同一でも異なっていてもよく、これら複数層の組み合わせは、本発明の効果を損なわない限り、特に限定されない。また、紙製基材１１が複数層からなる場合には、そのうちの少なくとも１層が不透明であればよく、その他の１層以上が透明であってもよい。また、また、紙製基材１１が複数層からなる場合には、すべての層が不透明であってもよい。
紙製基材１１が複数層からなる場合には、各層の合計の厚さが、上記の好ましい紙製基材１１の厚さとなるようにするとよい。
【００３３】
有色層１５は、平常時の不透明な紙製基材１１が無くても、有色層１５側から隠蔽情報媒体９０２を見たときに、情報媒体上の情報の取得を不可能にするか又は困難にする程度に、不透明なものである。
すなわち、隠蔽ラベル２０１は、情報媒体９上の情報の隠蔽効果をさらに向上させたものである。
【００３４】
有色層１５は、これを有色化するための有色成分を含有する。
このような有色層１５としては、例えば、発色している状態のロイコ色素を含有する層が挙げられる。ロイコ色素は、公知のものでよく、発色している状態のロイコ色素とは、顕色剤との反応により発色しているものである。
【００３５】
有色層１５の有色成分の含有量は、１〜１５ｇ／ｍ２であることが好ましく、３〜５ｇ／ｍ２であることがより好ましい。
【００３６】
有色層１５の厚さは、特に限定されないが、０．１〜３０μｍであることが好ましく、１〜１０μｍであることがより好ましい。有色層１５の厚さが前記下限値以上であることで、情報媒体９上の情報９０の隠蔽効果がより高くなる。また、有色層１５の厚さが前記上限値以下であることで、有色層１５が過剰な厚さとなることが避けられ、例えば、隠蔽ラベル２０１を介しての情報の取得がより容易となる。
【００３７】
有色層１５は、１層（単層）からなるものでもよいし、２層以上の複数層からなるもの（複数層が積層されたもの）でもよい。有色層１５が複数層からなる場合、これら複数層は、互いに同一でも異なっていてもよく、これら複数層の組み合わせは、本発明の効果を損なわない限り、特に限定されない。
有色層１５が複数層からなる場合には、各層の合計の厚さが、上記の好ましい有色層１５の厚さとなるようにするとよい。
【００３８】
マイクロカプセル含有層２２は、透明消色化成分を内包するマイクロカプセル（図示略）を含有し、透明又は半透明であれば特に限定されない。
前記マイクロカプセルは、外殻となる膜が透明消色化成分を包み込んだ構成を有することで透明消色化成分を内包しており、後述する公知の方法で形成できる。
【００３９】
前記マイクロカプセルは、紙製基材１１を透明化又は半透明化させるとともに、前記有色成分を消色に導くための透明消色化成分を内包する。
前記透明消色化成分は、有色層１５に到達して、有色層１５を消色化し、透明又は半透明とするものである。透明消色化成分は、例えば、有色層１５が前記ロイコ色素を含有する層である場合には、顕色剤に作用して、ロイコ色素を発色状態から消色状態へと変化させる。
なお、本明細書において、「有色層の消色化」とは、有色層が完全な無色になることだけでなく、有色層による情報の隠蔽効果が解消される程度に、有色層の色味が薄くなることも意味し、有色層が実質的に色味を有する状態となることも包含する。
【００４０】
前記透明消色化成分は、さらに、紙製基材１１に浸透して、紙製基材１１の透明度を向上させ、紙製基材１１を透明又は半透明とするものである。
このように、透明消色化成分は、有色層１５及び紙製基材１１の両方に作用する。
【００４１】
マイクロカプセル含有層２２のマイクロカプセルの含有量は、マイクロカプセル含有層２２の厚さ（換言すると、後述するマイクロカプセル含有組成物等の塗工量）に応じて異なるが、１〜２０ｇ／ｍ２であることが好ましく、３〜１５ｇ／ｍ２であることがより好ましく、４〜１０ｇ／ｍ２であることが特に好ましい。
なお、ここで示した含有量は一例であり、上述のような作用で有色層１５が消色化される限りにおいて、例えば、マイクロカプセル含有層２２の厚さや、その他の条件を考慮して、マイクロカプセルの前記含有量は、適宜調節することができる。
【００４２】
マイクロカプセル含有層２２は、マイクロカプセルと、マイクロカプセル化するための乳化材のみからなるものであってもよいし、マイクロカプセルの分散媒など、マイクロカプセル及び乳化剤以外の成分を含有していてもよい。
マイクロカプセル分散媒は、公知のものでよく、例えば、ポリビニルアルコール（ＰＶＡ）、スチレン無水マレイン酸の加水分解物等が挙げられる。
【００４３】
本発明において、マイクロカプセル１粒子の平均粒子径は、その内包する成分によらず、１〜１０μｍであることが好ましい。マイクロカプセルの平均粒子径が前記下限値以上であることで、マイクロカプセル含有層の押圧時におけるマイクロカプセルの破壊が、適正な範囲で容易となる。また、マイクロカプセルの平均粒子径が前記上限値以下であることで、マイクロカプセル含有層の非押圧時におけるマイクロカプセルの安定性が向上する。
なお、本明細書において「平均粒子径」とは、特に断りのない限り、コールターカウンターを用いる方法で測定された、体積累積分布の中央値Ｄ５０を意味する。
【００４４】
隠蔽ラベル２０１を押圧すると、マイクロカプセル含有層２２も押圧され、その圧力によってマイクロカプセルの内部から外部へ透明消色化成分が放出され、この放出された透明消色化成分が有色層１５に到達し、さらに紙製基材１１に浸透する。すると、平常時には不透明で情報９０を隠蔽していた紙製基材１１が、この透明消色化成分の作用により透明又は半透明となり、さらに有色層１５が、この透明消色化成分の作用により消色する。その結果、隠蔽ラベル２０１全体又はその一部の構造を情報媒体９から取り除かなくても、隠蔽ラベル２０１を介して情報９０を取得できるようになる。
【００４５】
さらに、隠蔽ラベル２０１を強く押圧すると、紙製基材１１が押し潰されることにより、紙製基材１１の表面の粗さ（表面粗さ）が低減されて、この表面における光の乱反射が抑制されるとともに、紙製基材１１の厚さが薄くなり、その結果、紙製基材１１の透明度が向上する相乗効果が得られる。その結果、隠蔽ラベル２０１を介して、情報９０をより容易に取得できる。
【００４６】
なお、本明細書においては、マイクロカプセル含有層において、マイクロカプセルが内包物を放出した後の隠蔽ラベルも、紙製基材、粘着剤層及びマイクロカプセル含有層を備えた構成を維持している限り、便宜上、「隠蔽ラベル」と称する。
【００４７】
透明消色化成分は、上記のような特性を有するものであれば、特に限定されず、その具体例としては、例えば、ポリエチレングリコール、アジピン酸ジブチル、１−ブトキシ−２−プロパノール、ジアセトンアルコール、酢酸ブチル、エチレングリコールジメチルエーテル、ヘキシルアルコール、シクロヘキサン、Ｎ−メチルピロリドン等が挙げられる。
【００４８】
透明消色化成分は、常温常圧における沸点が、２５０℃以上であるものが好ましい。このような沸点を有する透明消色化成分は、マイクロカプセルから放出された後も、揮発し難いことで、隠蔽ラベル２０１が貼付されてなる隠蔽情報媒体９０２を、秘匿情報が表出された状態で維持できる時間がより長くなる。
なお、本明細書において、「常温」とは、特に冷やしたり、熱したりしない温度、すなわち平常の温度を意味し、例えば、１５〜２５℃の温度等が挙げられる。
【００４９】
マイクロカプセル含有層２２は、例えば、透明消色化成分を内包するマイクロカプセル以外に、消色成分を内包せず、かつ透明化成分を内包するマイクロカプセルと、透明化成分を内包せず、かつ消色成分を内包するマイクロカプセルと、のいずれか一方又は両方を含有していてもよい。
前記透明化成分は、紙製基材１１に浸透して、紙製基材１１の透明度を向上させ、紙製基材１１を透明又は半透明とするための成分である。
前記消色成分は、有色層１５に到達して、前記有色成分を消色に導いて、有色層１５を消色化し、透明又は半透明とするものである。
【００５０】
前記透明化成分は、常温常圧下で液状、ゲル状又はクリーム状であることが好ましい。
また、透明化成分は、不揮発性であることが好ましく、沸点が５０℃以上であることが好ましい。
【００５１】
透明化成分で好ましいものとしては、例えば、油性成分（親油性成分）が挙げられ、その具体例としては、例えば、アジピン酸ブチル、１−ブトキシ−２−プロパノール、酢酸ブチル、ヘキシルアルコール等が挙げられる。
【００５２】
前記消色成分は、例えば、有色層１５が前記ロイコ色素を含有する層である場合には、顕色剤に作用して、ロイコ色素を発色状態から消色状態へと変化させるものである。
このようなロイコ色素を消色する消色成分は、公知のものでよく、具体的には、例えば、エステル（エステル結合を有する化合物）、ケトン（カルボニル基を有する化合物）、エーテル（エーテル結合を有する化合物）、脂肪族アルコール（水酸基を有する脂肪族化合物）、アミド（アミド結合を有する化合物）等が挙げられる。
【００５３】
マイクロカプセル含有層２２の厚さは、特に限定されないが、１〜４０μｍであることが好ましく、１〜２０μｍであることがより好ましく、１〜１０μｍであることが特に好ましい。マイクロカプセル含有層２２の厚さが前記下限値以上であることで、マイクロカプセル含有層２２がその機能を発現するのに十分な量のマイクロカプセルを含有することが容易となる。また、マイクロカプセル含有層２２の厚さが前記上限値以下であることで、マイクロカプセル含有層２２が過剰な厚さとなることが避けられ、例えば、隠蔽ラベル２０１を押圧したときに、マイクロカプセルの透明消色化成分の放出が容易となり、隠蔽ラベル２０１を介しての情報９０の取得がより容易となる。
【００５４】
マイクロカプセル含有層２２は、１層（単層）からなるものでもよいし、２層以上の複数層からなるもの（複数層が積層されたもの）でもよい。マイクロカプセル含有層２２が複数層からなる場合、これら複数層は、互いに同一でも異なっていてもよく、これら複数層の組み合わせは、本発明の効果を損なわない限り、特に限定されない。
マイクロカプセル含有層２２が複数層からなる場合には、各層の合計の厚さが、上記の好ましいマイクロカプセル含有層２２の厚さとなるようにするとよい。
【００５５】
隠蔽ラベル２０１は、紙製基材１１上に粘着剤層１３を備えてなり、紙製基材１１上の、紙製基材１１の厚さ方向における同一領域に、有色成分とマイクロカプセルとが設けられている。
隠蔽ラベル２０１において、有色成分とマイクロカプセルは、例えば、紙製基材１１の厚さ方向において、互いに重なる位置に存在している。
また、隠蔽ラベル２０１は、紙製基材１１と粘着剤層１３との間に、前記有色成分と前記マイクロカプセルとを含有するものである。
【００５６】
隠蔽ラベル２０１が情報媒体に貼付されて隠蔽情報媒体を構成している場合、平常時は、紙製基材１１が不透明であるため、情報媒体に記録されている情報は隠蔽ラベル２０１で被覆され、隠蔽されていることにより、取得できない。また、平常時は、紙製基材１１に加え、有色層１５も不透明であるため、紙製基材１１に不具合が生じても、情報媒体に記録されている情報は取得できないため、情報秘匿効果が高い。
一方、隠蔽ラベル２０１を押圧することで、マイクロカプセル含有層２２が押圧されると、その中のマイクロカプセルから透明消色化成分が放出され、この透明消色化成分が有色層１５に到達し、有色層１５が消色化されて透明又は半透明となる。また、この透明消色化成分が紙製基材１１に浸透し、紙製基材１１が透明又は半透明となる。したがって、隠蔽ラベル２０１全体又はその一部の構造を情報媒体から取り除かなくても、隠蔽ラベル２０１を介して、それまで隠蔽されていた情報を取得できるようになる。
【００５７】
図３は、本発明の隠蔽ラベルの他の実施形態を模式的に示す断面図である。
ここに示す隠蔽ラベル２０２は、マイクロカプセル含有層２２と有色層１５との配置位置が逆である点以外は、図１に示す隠蔽ラベル２０１と同じものである。
すなわち、隠蔽ラベル２０２は、紙製基材１１、マイクロカプセル含有層２２、有色層１５及び粘着剤層１３が、この順に、これらの厚さ方向において積層されてなる。
【００５８】
隠蔽ラベル２０１と同様に、隠蔽ラベル２０２は、紙製基材１１上に粘着剤層１３を備えてなり、紙製基材１１上の、紙製基材１１の厚さ方向における同一領域に、有色成分とマイクロカプセルとが設けられている。
隠蔽ラベル２０２において、有色成分とマイクロカプセルは、例えば、紙製基材１１の厚さ方向において、互いに重なる位置に存在している。
また、隠蔽ラベル２０２は、紙製基材１１と粘着剤層１３との間に、前記有色成分と前記マイクロカプセルとを含有するものである。
【００５９】
隠蔽ラベル２０２を用いた場合、隠蔽ラベル２０１を用いた場合と同様の作用により、平常時には、情報媒体に記録されている情報は隠蔽され、隠蔽ラベル２０２を押圧し、マイクロカプセル含有層２２が押圧された場合には、隠蔽ラベル２０２を介して、情報を取得できるようになる。
【００６０】
図４は、本発明の隠蔽ラベルのさらに他の実施形態を模式的に示す断面図である。
ここに示す隠蔽ラベル２０３は、マイクロカプセル含有層２２及び粘着剤層１３を備えるのに代えて、マイクロカプセルを含有する粘着剤層（以下、「マイクロカプセル含有粘着剤層」と称する）１７を備える点以外は、図１に示す隠蔽ラベル２０１と同じものである。
すなわち、隠蔽ラベル２０３は、紙製基材１１と、有色層１５と、マイクロカプセル含有粘着剤層１７と、を備えてなり、有色層１５が、紙製基材１１とマイクロカプセル含有粘着剤層１７との間に配置されている。換言すると、隠蔽ラベル２０３は、紙製基材１１、有色層１５及びマイクロカプセル含有粘着剤層１７が、この順に、これらの厚さ方向において積層されてなる。
【００６１】
マイクロカプセル含有粘着剤層１７は、例えば、隠蔽ラベル２０１における粘着剤層１３が、さらに隠蔽ラベル２０１におけるマイクロカプセルを含有するようにして構成できる。すなわち、マイクロカプセル含有粘着剤層１７は、粘着成分以外に、前記透明消色化成分を内包するマイクロカプセルを含有する。
【００６２】
マイクロカプセル含有粘着剤層１７のマイクロカプセルの含有量は、透明消色化成分が粘着性樹脂等の粘着成分に吸収されることを考慮し、例えば、マイクロカプセル含有層２２のマイクロカプセルの含有量よりも多いことが好ましい。具体的には、マイクロカプセル含有粘着剤層１７のマイクロカプセルの含有量は、１〜３０ｇ／ｍ２であることが好ましく、４〜２０ｇ／ｍ２であることがより好ましく、７〜１５ｇ／ｍ２であることが特に好ましい。
【００６３】
マイクロカプセル含有粘着剤層１７の厚さは、特に限定されないが、１〜２５０μｍであることが好ましく、２〜７０μｍであることがより好ましく、２〜５０μｍであることが特に好ましい。マイクロカプセル含有粘着剤層１７の厚さが前記下限値以上であることで、隠蔽ラベル２０３をより安定して情報媒体に貼付できるとともに、マイクロカプセル含有粘着剤層１７がその機能を発現するのに十分な量のマイクロカプセルを含有することが容易となる。また、マイクロカプセル含有粘着剤層１７の厚さが前記上限値以下であることで、マイクロカプセル含有粘着剤層１７が過剰な厚さとなることが避けられ、例えば、隠蔽ラベル２０３を押圧したときに、マイクロカプセルの透明消色化成分の放出が容易となり、隠蔽ラベル２０３を介しての情報の取得がより容易となる。
【００６４】
マイクロカプセル含有粘着剤層１７は、１層（単層）からなるものでもよいし、２層以上の複数層からなるもの（複数層が積層されたもの）でもよい。マイクロカプセル含有粘着剤層１７が複数層からなる場合、これら複数層は、互いに同一でも異なっていてもよく、これら複数層の組み合わせは、本発明の効果を損なわない限り、特に限定されない。
マイクロカプセル含有粘着剤層１７が複数層からなる場合には、各層の合計の厚さが、上記の好ましいマイクロカプセル含有粘着剤層１７の厚さとなるようにするとよい。
【００６５】
隠蔽ラベル２０３における紙製基材１１及び有色層１５は、隠蔽ラベル２０１における紙製基材１１及び有色層１５と同じものである。
【００６６】
隠蔽ラベル２０３は、紙製基材１１上にマイクロカプセル含有粘着剤層１７を備えてなり、紙製基材１１上の、紙製基材１１の厚さ方向における同一領域に、有色成分とマイクロカプセルとが設けられている。
【００６７】
隠蔽ラベル２０３が情報媒体に貼付されて隠蔽情報媒体を構成している場合、平常時は、紙製基材１１が不透明であるため、情報媒体に記録されている情報は隠蔽ラベル２０３で被覆され、隠蔽されていることにより、取得できない。また、平常時は、紙製基材１１に加え、有色層１５も不透明であるため、紙製基材１１に不具合が生じても、情報媒体に記録されている情報は取得できないため、情報秘匿効果が高い。
一方、隠蔽ラベル２０３を押圧することで、マイクロカプセル含有粘着剤層１７が押圧されると、その中のマイクロカプセルから透明消色化成分が放出され、この透明消色化成分が有色層１５に到達し、有色層１５が消色化されて透明又は半透明となる。また、この透明消色化成分が紙製基材１１に浸透し、紙製基材１１が透明又は半透明となる。したがって、隠蔽ラベル２０３全体又はその一部の構造を情報媒体から取り除かなくても、隠蔽ラベル２０３を介して、それまで隠蔽されていた情報を取得できるようになる。
【００６８】
図５は、本発明の隠蔽ラベルのさらに他の実施形態を模式的に示す断面図である。
ここに示す隠蔽ラベル２０４は、マイクロカプセル含有層２２及び有色層１５を備えるのに代えて、マイクロカプセルを含有する有色層（以下、「マイクロカプセル含有有色層」と称する）１６を備える点以外は、図１に示す隠蔽ラベル２０１と同じものである。マイクロカプセル含有有色層は、有色成分を含有するマイクロカプセル含有層ということもできる。
すなわち、隠蔽ラベル２０４は、紙製基材１１と、粘着剤層１３と、マイクロカプセル含有有色層１６と、を備えてなり、マイクロカプセル含有有色層１６が、紙製基材１１と粘着剤層１３との間に配置されている。換言すると、隠蔽ラベル２０４は、紙製基材１１、マイクロカプセル含有有色層１６及び粘着剤層１３が、この順に、これらの厚さ方向において積層されてなる。
【００６９】
マイクロカプセル含有有色層１６は、隠蔽ラベル２０１における有色層１５と同様に、発色している状態のロイコ色素等の、有色化するための有色成分を含有する。さらに、マイクロカプセル含有有色層１６は、それ自体を消色化するとともに、紙製基材１１を透明又は半透明とするための透明消色化成分を内包するマイクロカプセルを含有する。
【００７０】
隠蔽ラベル２０４が情報媒体に貼付されて隠蔽情報媒体を構成している場合、マイクロカプセル含有有色層１６は、平常時の不透明な紙製基材１１が無くても、マイクロカプセル含有有色層１６側から隠蔽情報媒体を見たときに、情報媒体上の情報の取得を不可能にするか又は困難にする程度に、不透明なものである。
すなわち、隠蔽ラベル２０４は、情報媒体上の情報の隠蔽効果をさらに向上させたものである。
【００７１】
マイクロカプセル含有有色層１６のマイクロカプセルの含有量は、上述のマイクロカプセル含有層２２のマイクロカプセルの含有量と同様である。
マイクロカプセル含有有色層１６の有色成分の含有量は、上述の有色層１５の有色成分の含有量と同様である。
【００７２】
マイクロカプセル含有有色層１６の厚さは、特に限定されないが、１〜１００μｍであることが好ましく、１〜３５μｍであることがより好ましく、４〜２０μｍであることが特に好ましい。マイクロカプセル含有有色層１６の厚さが前記下限値以上であることで、媒体上の情報の隠蔽効果がより高くなるとともに、マイクロカプセル含有有色層１６がその機能を発現するのに十分な量のマイクロカプセルを含有することが容易となる。また、マイクロカプセル含有有色層１６の厚さが前記上限値以下であることで、マイクロカプセル含有有色層１６が過剰な厚さとなることが避けられ、例えば、隠蔽ラベル２０４を押圧したときに、マイクロカプセルの透明消色化成分の放出が容易となり、隠蔽ラベル２０４を介しての情報の取得がより容易となる。
【００７３】
マイクロカプセル含有有色層１６は、１層（単層）からなるものでもよいし、２層以上の複数層からなるもの（複数層が積層されたもの）でもよい。マイクロカプセル含有有色層１６が複数層からなる場合、これら複数層は、互いに同一でも異なっていてもよく、これら複数層の組み合わせは、本発明の効果を損なわない限り、特に限定されない。
マイクロカプセル含有有色層１６が複数層からなる場合には、各層の合計の厚さが、上記の好ましいマイクロカプセル含有有色層１６の厚さとなるようにするとよい。
【００７４】
隠蔽ラベル２０４における紙製基材１１及び粘着剤層１３は、隠蔽ラベル２０１における紙製基材１１及び粘着剤層１３と同じものである。
【００７５】
隠蔽ラベル２０４は、紙製基材１１上に粘着剤層１３を備えてなり、紙製基材１１上の、紙製基材１１の厚さ方向における同一領域に、有色成分とマイクロカプセルとが設けられている。
【００７６】
隠蔽ラベル２０４が情報媒体に貼付されて隠蔽情報媒体を構成している場合、平常時は、紙製基材１１が不透明であるため、情報媒体に記録されている情報は隠蔽ラベル２０４で被覆され、隠蔽されていることにより、取得できない。また、平常時は、紙製基材１１に加え、マイクロカプセル含有有色層１６も不透明であるため、紙製基材１１に不具合が生じても、情報媒体に記録されている情報は取得できないため、情報秘匿効果が高い。
一方、隠蔽ラベル２０４を押圧することで、マイクロカプセル含有有色層１６が押圧されると、その中のマイクロカプセルから透明消色化成分が放出され、この透明消色化成分の作用により、マイクロカプセル含有有色層１６自体が消色化されて透明又は半透明となる。また、この透明消色化成分が紙製基材１１に浸透し、紙製基材１１が透明又は半透明となる。したがって、隠蔽ラベル２０４全体又はその一部の構造を情報媒体から取り除かなくても、隠蔽ラベル２０４を介して、それまで隠蔽されていた情報を取得できるようになる。
【００７７】
図６は、本発明の隠蔽ラベルのさらに他の実施形態を模式的に示す断面図である。
ここに示す隠蔽ラベル２０５は、粘着剤層１３及び有色層１５を備えるのに代えて、有色成分を含有する粘着剤層（以下、「有色粘着剤層」と称する）２３を備える点以外は、図２に示す隠蔽ラベル２０２と同じものである。
すなわち、隠蔽ラベル２０５は、紙製基材１１と、有色粘着剤層２３と、マイクロカプセル含有層２２と、を備えてなり、マイクロカプセル含有層２２が、紙製基材１１と有色粘着剤層２３との間に配置されている。換言すると、隠蔽ラベル２０５は、紙製基材１１、マイクロカプセル含有層２２及び有色粘着剤層２３が、この順に、これらの厚さ方向において積層されてなる。
【００７８】
有色粘着剤層２３は、例えば、隠蔽ラベル２０１における粘着剤層１３が、さらに隠蔽ラベル２０１における有色成分（例えば、発色している状態のロイコ色素等）を含有するようにして構成できる。
【００７９】
隠蔽ラベル２０５が情報媒体に貼付されて隠蔽情報媒体を構成している場合、有色粘着剤層２３は、平常時の不透明な紙製基材１１が無くても、マイクロカプセル含有層２２側から隠蔽情報媒体を見たときに、情報媒体上の情報の取得を不可能にするか又は困難にする程度に、不透明なものである。
すなわち、隠蔽ラベル２０５は、情報媒体上の情報の隠蔽効果をさらに向上させたものである。
【００８０】
有色粘着剤層２３の有色成分の含有量は、上述の有色層１５の有色成分の含有量と同様である。
【００８１】
有色粘着剤層２３の厚さは、特に限定されないが、１〜２００μｍであることが好ましく、１〜３０μｍであることがより好ましい。有色粘着剤層２３の厚さが前記下限値以上であることで、隠蔽ラベル２０５をより安定して情報媒体に貼付できるとともに、媒体上の情報の隠蔽効果がより高くなる。また、有色粘着剤層２３の厚さが前記上限値以下であることで、有色粘着剤層２３が過剰な厚さとなることが避けられ、例えば、隠蔽ラベル２０５介しての情報の取得がより容易となる。
【００８２】
有色粘着剤層２３は、１層（単層）からなるものでもよいし、２層以上の複数層からなるもの（複数層が積層されたもの）でもよい。有色粘着剤層２３が複数層からなる場合、これら複数層は、互いに同一でも異なっていてもよく、これら複数層の組み合わせは、本発明の効果を損なわない限り、特に限定されない。
有色粘着剤層２３が複数層からなる場合には、各層の合計の厚さが、上記の好ましい有色粘着剤層２３の厚さとなるようにするとよい。
【００８３】
隠蔽ラベル２０５における紙製基材１１及びマイクロカプセル含有層２２は、隠蔽ラベル２０１における紙製基材１１及びマイクロカプセル含有層２２と同じものである。
【００８４】
隠蔽ラベル２０５は、紙製基材１１上に有色粘着剤層２３を備えてなり、紙製基材１１上の、紙製基材１１の厚さ方向における同一領域に、有色成分とマイクロカプセルとが設けられている。
【００８５】
隠蔽ラベル２０５が情報媒体に貼付されて隠蔽情報媒体を構成している場合、平常時は、紙製基材１１が不透明であるため、情報媒体に記録されている情報は隠蔽ラベル２０５で被覆され、隠蔽されていることにより、取得できない。また、平常時は、紙製基材１１に加え、有色粘着剤層２３も不透明であるため、紙製基材１１に不具合が生じても、情報媒体に記録されている情報は取得できないため、情報秘匿効果が高い。
一方、隠蔽ラベル２０５を押圧することで、マイクロカプセル含有層２２が押圧されると、その中のマイクロカプセルから透明消色化成分が放出され、この透明消色化成分が有色粘着剤層２３に到達し、有色粘着剤層２３が消色化されて透明又は半透明となる。また、この透明消色化成分が紙製基材１１に浸透し、紙製基材１１が透明又は半透明となる。したがって、隠蔽ラベル２０５全体又はその一部の構造を情報媒体から取り除かなくても、隠蔽ラベル２０５を介して、それまで隠蔽されていた情報を取得できるようになる。
【００８６】
図７は、本発明の隠蔽ラベルのさらに他の実施形態を模式的に示す断面図である。
ここに示す隠蔽ラベル３０２は、紙製基材１１と、粘着剤層１３と、マイクロカプセル含有層２２と、を備え、紙製基材１１のマイクロカプセル含有層２２側に、さらに有色層１５を備えてなるものである。
隠蔽ラベル３０２は、有色層１５を、マイクロカプセル含有層２２上に備えている。
すなわち、隠蔽ラベル３０２は、有色層１５、マイクロカプセル含有層２２、紙製基材１１及び粘着剤層１３が、この順に、これらの厚さ方向において積層されてなる。
【００８７】
隠蔽ラベル３０２が情報媒体に貼付されて隠蔽情報媒体を構成している場合、有色層１５は、平常時の不透明な紙製基材１１が無くても、有色層１５側から隠蔽情報媒体を見たときに、情報媒体上の情報の取得を不可能にするか又は困難にする程度に、不透明なものである。
すなわち、隠蔽ラベル３０２は、情報媒体上の情報の隠蔽効果をさらに向上させたものである。
【００８８】
隠蔽ラベル３０２における紙製基材１１、粘着剤層１３、有色層１５及びマイクロカプセル含有層２２は、隠蔽ラベル２０１における紙製基材１１、粘着剤層１３、有色層１５及びマイクロカプセル含有層２２と同じものである。
【００８９】
隠蔽ラベル３０２が情報媒体に貼付されて隠蔽情報媒体を構成している場合、平常時は、紙製基材１１が不透明であるため、情報媒体に記録されている情報は隠蔽ラベル３０２で被覆され、隠蔽されていることにより、取得できない。また、平常時は、紙製基材１１に加え、有色層１５も不透明であるため、紙製基材１１に不具合が生じても、情報媒体に記録されている情報は取得できないため、情報秘匿効果が高い。
一方、隠蔽ラベル３０２を押圧することで、マイクロカプセル含有層２２が押圧されると、その中のマイクロカプセルから透明消色化成分が放出され、この透明消色化成分が有色層１５に到達し、有色層１５が消色化されて透明又は半透明となる。また、この透明消色化成分が紙製基材１１に浸透し、紙製基材１１が透明又は半透明となる。したがって、隠蔽ラベル３０２全体又はその一部の構造を情報媒体から取り除かなくても、隠蔽ラベル３０２を介して、それまで隠蔽されていた情報を取得できるようになる。
【００９０】
隠蔽ラベル３０２は、紙製基材１１上に粘着剤層１３を備えてなり、紙製基材１１上の、紙製基材１１の厚さ方向における同一領域に、有色成分とマイクロカプセルとが設けられている。
隠蔽ラベル３０２において、有色成分とマイクロカプセルは、例えば、紙製基材１１の厚さ方向において、互いに重なる位置に存在している。
また、隠蔽ラベル３０２は、紙製基材１１上の、粘着剤層１３を備えている側とは反対側に、有色成分とマイクロカプセルとが設けられているものである。
【００９１】
図８は、本発明の隠蔽ラベルのさらに他の実施形態を模式的に示す断面図である。
ここに示す隠蔽ラベル３０３は、マイクロカプセル含有層２２と有色層１５との配置位置が逆である点以外は、図７に示す隠蔽ラベル３０２と同じものである。
すなわち、隠蔽ラベル３０３は、マイクロカプセル含有層２２、有色層１５、紙製基材１１及び粘着剤層１３が、この順に、これらの厚さ方向において積層されてなる。
【００９２】
隠蔽ラベル３０２と同様に、隠蔽ラベル３０３は、紙製基材１１上に粘着剤層１３を備えてなり、紙製基材１１上の、紙製基材１１の厚さ方向における同一領域に、有色成分とマイクロカプセルとが設けられている。
隠蔽ラベル３０３において、有色成分とマイクロカプセルは、例えば、紙製基材１１の厚さ方向において、互いに重なる位置に存在している。
また、隠蔽ラベル３０３は、紙製基材１１上の、粘着剤層１３を備えている側とは反対側に、有色成分とマイクロカプセルとが設けられているものである。
【００９３】
隠蔽ラベル３０３を用いた場合、隠蔽ラベル３０２を用いた場合と同様の作用により、平常時には、情報媒体に記録されている情報は隠蔽され、隠蔽ラベル３０３を押圧し、マイクロカプセル含有層２２が押圧された場合には、隠蔽ラベル３０３を介して、情報を取得できるようになる。
【００９４】
図９は、本発明の隠蔽ラベルのさらに他の実施形態を模式的に示す断面図である。
ここに示す隠蔽ラベル３０４は、マイクロカプセル含有有色層１６と紙製基材１１との配置位置が逆である点以外は、図５に示す隠蔽ラベル２０４と同じものである。
すなわち、隠蔽ラベル３０４は、マイクロカプセル含有有色層１６と、紙製基材１１と、粘着剤層１３と、を備えてなり、紙製基材１１が、マイクロカプセル含有有色層１６と粘着剤層１３との間に配置されている。換言すると、隠蔽ラベル３０４は、マイクロカプセル含有有色層１６、紙製基材１１及び粘着剤層１３が、この順に、これらの厚さ方向において積層されてなる。
【００９５】
隠蔽ラベル３０２と同様に、隠蔽ラベル３０４は、紙製基材１１上に粘着剤層１３を備えてなり、紙製基材１１上の、紙製基材１１の厚さ方向における同一領域に、有色成分とマイクロカプセルとが設けられている。
隠蔽ラベル３０４において、有色成分とマイクロカプセルは、例えば、紙製基材１１の厚さ方向において、互いに重なる位置に存在している。
また、隠蔽ラベル３０４は、紙製基材１１上の、粘着剤層１３を備えている側とは反対側に、有色成分とマイクロカプセルとが設けられているものである。
【００９６】
隠蔽ラベル３０４を用いた場合、隠蔽ラベル３０１を用いた場合と同様の作用により、平常時には、情報媒体に記録されている情報は隠蔽され、隠蔽ラベル３０４を押圧し、マイクロカプセル含有有色層１６が押圧された場合には、隠蔽ラベル３０４を介して、情報を取得できるようになる。
【００９７】
図１０は、本発明の隠蔽ラベルのさらに他の実施形態を模式的に示す断面図である。
ここに示す隠蔽ラベル４０１は、粘着剤層１３、マイクロカプセル含有層２２及び有色層１５を備えるのに代えて、マイクロカプセル及び有色成分を含有する粘着剤層（以下、「マイクロカプセル含有有色粘着剤層」と称する）３３を備える点以外は、図１に示す隠蔽ラベル２０１と同じものである。
すなわち、隠蔽ラベル４０１は、紙製基材１１と、マイクロカプセル含有有色粘着剤層３３と、を備えてなる。換言すると、隠蔽ラベル４０１は、紙製基材１１及びマイクロカプセル含有有色粘着剤層３３が、これらの厚さ方向において積層されてなる。
【００９８】
マイクロカプセル含有有色粘着剤層３３は、例えば、隠蔽ラベル２０１における粘着剤層１３が、さらに隠蔽ラベル２０１におけるマイクロカプセル及び有色成分（例えば、発色している状態のロイコ色素等）を含有するようにして構成できる。
【００９９】
隠蔽ラベル４０１が情報媒体に貼付されて隠蔽情報媒体を構成している場合、マイクロカプセル含有有色粘着剤層３３は、平常時の不透明な紙製基材１１が無くても、マイクロカプセル含有有色粘着剤層３３側から隠蔽情報媒体を見たときに、情報媒体上の情報の取得を不可能にするか又は困難にする程度に、不透明なものである。
すなわち、隠蔽ラベル４０１は、情報媒体上の情報の隠蔽効果をさらに向上させたものである。
【０１００】
マイクロカプセル含有有色粘着剤層３３のマイクロカプセルの含有量は、１〜３０ｇ／ｍ２であることが好ましく、３〜１５ｇ／ｍ２であることがより好ましい。
マイクロカプセル含有有色粘着剤層３３の有色成分の含有量は、０．１〜３０ｇ／ｍ２であることが好ましく、１〜１０ｇ／ｍ２であることがより好ましい。
【０１０１】
マイクロカプセル含有有色粘着剤層３３の厚さは、特に限定されないが、１〜４００μｍであることが好ましく、１〜１５０μｍであることがより好ましく、１〜６０μｍであることが特に好ましい。マイクロカプセル含有有色粘着剤層３３の厚さが前記下限値以上であることで、隠蔽ラベル４０１をより安定して情報媒体に貼付できるとともに、マイクロカプセル含有有色粘着剤層３３がその機能を発現するのに十分な量のマイクロカプセルを含有することが容易となり、さらに媒体上の情報の隠蔽効果がより高くなる。また、マイクロカプセル含有有色粘着剤層３３の厚さが前記上限値以下であることで、マイクロカプセル含有有色粘着剤層３３が過剰な厚さとなることが避けられ、例えば、隠蔽ラベル４０１を押圧したときに、マイクロカプセルの透明消色化成分の放出が容易となることもあり、隠蔽ラベル４０１を介しての情報の取得がより容易となる。
【０１０２】
マイクロカプセル含有有色粘着剤層３３は、１層（単層）からなるものでもよいし、２層以上の複数層からなるもの（複数層が積層されたもの）でもよい。マイクロカプセル含有有色粘着剤層３３が複数層からなる場合、これら複数層は、互いに同一でも異なっていてもよく、これら複数層の組み合わせは、本発明の効果を損なわない限り、特に限定されない。
マイクロカプセル含有有色粘着剤層３３が複数層からなる場合には、各層の合計の厚さが、上記の好ましいマイクロカプセル含有有色粘着剤層３３の厚さとなるようにするとよい。
【０１０３】
隠蔽ラベル４０１における紙製基材１１は、隠蔽ラベル２０１における紙製基材１１と同じものである。
【０１０４】
隠蔽ラベル４０１は、紙製基材１１上にマイクロカプセル含有有色粘着剤層３３を備えてなり、紙製基材１１上の、紙製基材１１の厚さ方向における同一領域に、有色成分とマイクロカプセルとが設けられている。
【０１０５】
隠蔽ラベル４０１が情報媒体に貼付されて隠蔽情報媒体を構成している場合、平常時は、紙製基材１１が不透明であるため、情報媒体に記録されている情報は隠蔽ラベル４０１で被覆され、隠蔽されていることにより、取得できない。また、平常時は、紙製基材１１に加え、マイクロカプセル含有有色粘着剤層３３も不透明であるため、紙製基材１１に不具合が生じても、情報媒体に記録されている情報は取得できないため、情報秘匿効果が高い。
一方、隠蔽ラベル４０１を押圧することで、マイクロカプセル含有有色粘着剤層３３が押圧されると、その中のマイクロカプセルから透明消色化成分が放出され、この透明消色化成分の作用により、マイクロカプセル含有有色粘着剤層３３自体が消色化されて透明又は半透明となる。また、この透明消色化成分が紙製基材１１に浸透し、紙製基材１１が透明又は半透明となる。したがって、隠蔽ラベル４０１全体又はその一部の構造を情報媒体から取り除かなくても、隠蔽ラベル４０１を介して、それまで隠蔽されていた情報を取得できるようになる。
【０１０６】
本発明の隠蔽ラベルは、図１〜図１０に示すものに限定されず、例えば、本発明の効果を損なわない範囲内において、図１〜図１０に示すものにおいて一部の構成が変更、削除又は追加されたものであってもよい。
【０１０７】
例えば、ここまでは隠蔽ラベルとして、紙製基材、粘着剤層、マイクロカプセル含有層及び有色層を備えたものや、これらの粘着剤層及びマイクロカプセル含有層に代えてマイクロカプセル含有粘着剤層を備えたもの、これらの有色層及びマイクロカプセル含有層に代えてマイクロカプセル含有有色層を備えたもの、これらの粘着剤層及び有色層に代えて有色粘着剤層を備えたもの、これらの粘着剤層、マイクロカプセル含有層及び有色層に代えてマイクロカプセル含有有色粘着剤層を備えたものについて説明した。本発明の隠蔽ラベルは、これらの層のいずれにも該当しない、他の層を備えてなるものでもよく、前記他の層の配位位置は、その目的に応じて任意に選択できる。
ただし、本発明の効果がより顕著に得られる点から、本発明の隠蔽ラベルは、前記他の層を備えていないものが好ましい。
【０１０８】
＜＜隠蔽ラベルの製造方法＞＞
本発明の隠蔽ラベルは、これを構成する各層を、適した配置位置となるように積層することで、製造できる。
例えば、図１に示す隠蔽ラベル２０１は、紙製基材１１、有色層１５、マイクロカプセル含有層２２及び粘着剤層１３を、この順に、これらの厚さ方向において積層することで、製造できる。
【０１０９】
前記マイクロカプセル含有層は、公知の方法により形成できる。例えば、芯物質となる前記透明消色化成分の存在下で、膜形成成分により外殻となる膜を形成することで、これら芯物質を内包するマイクロカプセル粒子を作製し、マイクロカプセルを含有する分散液等の、マイクロカプセル含有組成物を目的とする箇所に塗工して、乾燥させることで、前記マイクロカプセル含有層を形成できる。
【０１１０】
透明消色化成分を内包するマイクロカプセルは、例えば、化学的方法、物理化学的方法、又は物理的及び機械的方法等により作製できる。
【０１１１】
マイクロカプセルの作製方法のうち、前記化学的方法としては、例えば、界面重合法、ｉｎ  ｓｉｔｕ重合法、液中硬化被膜法等により、膜形成成分を作製し、カプセル化する方法が挙げられる。
【０１１２】
前記界面重合法としては、例えば、多塩基酸ハライドとポリオールとを界面重合させてポリエステルからなる膜を形成する方法、多塩基酸ハライドとポリアミンとを界面重合させてポリアミドからなる膜を形成する方法、ポリイソシアネートとポリオールとを界面重合させて、ポリウレタンからなる膜を形成する方法、ポリイソシアネートとポリアミンとを界面重合させて、ポリウレアからなる膜を形成する方法等が挙げられる。
【０１１３】
前記ｉｎ  ｓｉｔｕ重合法としては、例えば、メラミン及び尿素から選ばれる１種とホルマリン又はこれらの初期重縮合物と、スチレン無水マレイン酸共重合体の部分加水分解物との共重合体からなる膜を形成する方法、スチレンとジビニルベンゼンとを共重合させてポリスチレン共重合体からなる膜を形成する方法、メチルメタクリレートとｎ−ブチルメタクリレートとを共重合させてポリメタクリレート共重合体からなる膜を形成する方法等が挙げられる。
【０１１４】
前記液中硬化被膜法としては、例えば、ゼラチン、ポリビニルアルコール、エポキシ樹脂又はアルギン酸ソーダ等を液中で硬化させる方法等が挙げられる。
【０１１５】
マイクロカプセルの作製方法のうち、物理化学的方法としては、例えば、単純コアセルベーション法；複合コアセルベーション法；ｐＨコントロール法；非溶媒添加法等の水溶液からの相分離法や、有機溶媒からの相分離法等のコアセルベーション法等が挙げられる。これら物理化学的方法で用いる前記膜形成成分としては、例えば、ゼラチン、セルロース、ゼラチン−アラビアゴム等が挙げられる。
また、物理化学的方法としては、例えば、ポリスチレン等を用いる界面沈降法等も挙げられる。
【０１１６】
マイクロカプセル化の方法のうち物理的及び機械的方法としては、例えば、スプレードライング法、気中懸濁被膜法、真空蒸着被膜法、静電的合体法、融解分散冷却法、無機質壁カプセル化法等が挙げられる。これら物理的及び機械的方法で用いる前記膜形成成分としては、例えば、ゼラチン、アラビアゴム、ポリビニルピロリドン、カルボキシメチルセルロース、メチルセルロース、アルギン酸ナトリウム等が挙げられる。
【０１１７】
前記マイクロカプセル含有層の厚さは、例えば、マイクロカプセル含有組成物の塗工量や、塗工に用いるマイクロカプセル含有組成物のマイクロカプセルの含有量等を調節することで、調節できる。
【０１１８】
前記粘着剤層は、公知の方法により形成できる。例えば、粘着性樹脂等の粘着成分を含有する粘着剤組成物を用い、これを目的とする箇所に塗工して、乾燥させることで、粘着剤層を形成できる。
粘着剤層の厚さは、例えば、粘着剤組成物の塗工量や、塗工に用いる粘着剤組成物の粘着成分の含有量等を調節することで、調節できる。
【０１１９】
前記有色層は、公知の方法により形成でき、例えば、含有成分が異なる点以外は、前記粘着剤層の場合と同じ方法で形成できる。すなわち、例えば、有色成分が発色している状態のロイコ色素である場合には、ロイコ色素及び顕色剤を含有する有色組成物を用い、これを目的とする箇所に塗工して、乾燥させることで、有色層を形成できる。
有色層の厚さは、例えば、有色組成物の塗工量や、塗工に用いる有色組成物の有色成分の含有量等を調節することで、調節できる。
【０１２０】
マイクロカプセル含有粘着剤層は、例えば、前記粘着剤組成物と、前記マイクロカプセル含有組成物と、を混合して、粘着成分及びマイクロカプセルをともに含有するマイクロカプセル含有粘着剤組成物を用い、これを目的とする箇所に塗工して、乾燥させることで形成できる。
マイクロカプセル含有粘着剤層の厚さは、例えば、マイクロカプセル含有粘着剤組成物の塗工量や、塗工に用いるマイクロカプセル含有粘着剤組成物のマイクロカプセル又は粘着成分の含有量等を調節することで、調節できる。
【０１２１】
マイクロカプセル含有有色層は、例えば、前記マイクロカプセル含有組成物に、さらに有色成分を配合して得られたマイクロカプセル含有有色組成物を用い、これを目的とする箇所に塗工して、乾燥させることで形成できる。
マイクロカプセル含有有色層の厚さは、例えば、マイクロカプセル含有有色組成物の塗工量や、塗工に用いるマイクロカプセル含有有色組成物のマイクロカプセル又は有色成分の含有量等を調節することで、調節できる。
【０１２２】
有色粘着剤層は、例えば、前記粘着成分及び有色成分を含有する有色粘着剤組成物を用い、これを目的とする箇所に塗工して、乾燥させることで形成できる。
有色粘着剤層の厚さは、例えば、有色粘着剤組成物の塗工量や、塗工に用いる有色粘着剤組成物の粘着成分又は有色成分の含有量等を調節することで、調節できる。
【０１２３】
マイクロカプセル含有有色粘着剤層は、例えば、前記有色粘着剤組成物と、前記マイクロカプセル含有組成物と、を混合して、粘着成分及びマイクロカプセルをともに含有するマイクロカプセル含有粘着剤組成物を用い、これを目的とする箇所に塗工して、乾燥させることで形成できる。ただし、この方法は一例である。
マイクロカプセル含有有色粘着剤層の厚さは、例えば、マイクロカプセル含有有色粘着剤層の塗工量や、塗工に用いるマイクロカプセル含有有色粘着剤層のマイクロカプセル又は粘着成分の含有量等を調節することで、調節できる。
【０１２４】
このように、紙製基材以外の各層は、ここまでに説明した層に限らず、いずれも、その層の構成に必要な成分を含有する各種組成物を用い、これを目的とする箇所に塗工して、乾燥させることで形成でき、各層の厚さは、前記組成物の塗工量や、塗工に用いる前記組成物の含有成分の含有量等を調節することで、調節できる。
【０１２５】
また、紙製基材以外の各層は、積層すべき箇所に前記組成物を塗工して、乾燥させることで、直接形成してもよいし、例えば、剥離フィルムの剥離処理面に前記組成物を塗工して、乾燥させることで、あらかじめ形成しておいた層を、積層すべき箇所に貼り合わせて転写することで、形成してもよい。
【０１２６】
＜＜隠蔽ラベルの使用方法＞＞
本発明の隠蔽ラベルは、隠蔽情報媒体の作製、及び作製した隠蔽情報媒体からの隠蔽情報の取得に利用できる。
すなわち、隠蔽すべき情報が記録された情報媒体の、前記情報が記録されている領域に、本発明の隠蔽ラベルをその粘着剤層により貼付して、前記情報を隠蔽することにより、隠蔽情報媒体を作製できる。情報の記録には、特殊な方法は不要であり、公知の汎用性のある方法を採用できる。
一方、作製された隠蔽情報媒体に対しては、隠蔽ラベルを押圧して紙製基材を透明又は半透明とし、有色層を消色化することで、隠蔽ラベル全体又はその一部の構造を情報媒体から取り除かなくても、隠蔽ラベルを介して、隠蔽されていた情報を取得できる。
このように、本発明の隠蔽ラベルを用いることにより、情報の記録方法には制約がなくなり、隠蔽情報媒体を安価に製造でき、汎用性が高い。また、従来の隠蔽ラベルとは異なり、隠蔽ラベルを取り除く操作が不要となり、取り扱いが容易となる。さらに、隠蔽ラベルを取り除くときに不具合が生じて、隠蔽ラベルの一部が破れて情報媒体上に存存してしまうことにより、秘匿情報の取得が困難になることもない。
【産業上の利用可能性】
【０１２７】
本発明は、隠蔽葉書等をはじめとする、媒体上の情報が隠蔽されている隠蔽情報媒体からの、隠蔽情報の取得に利用可能である。
【符号の説明】
【０１２８】
２０１，２０２，２０３，２０４，２０５，３０２，３０３，３０４，４０１・・・隠蔽ラベル、１１・・・紙製基材、２２・・・マイクロカプセル含有層、１３・・・粘着剤層、１７・・・マイクロカプセル含有粘着剤層、１５・・・有色層、１６・・・マイクロカプセル含有有色層、２３・・・有色粘着剤層、マイクロカプセル含有有色粘着剤層３３
【図１】
0006702774.tif 000002
【図２】
0006702774.tif 000003
【図３】
0006702774.tif 000004
【図４】
0006702774.tif 000005
【図５】
0006702774.tif 000006
【図６】
0006702774.tif 000007
【図７】
0006702774.tif 000008
【図８】
0006702774.tif 000009
【図９】
0006702774.tif 000010
【図１０】
0006702774.tif 000011